(57)【要約】      （修正有）【課題】小さいサイズのシャーシは、深さが不十分であり、大きいサイズの貯蔵ラックに取り付けられることができないので、小さいサイズの貯蔵ラックにしか取り付けられないように制限される。このため、異なるサイズのシャーシを貯蔵するラックを提供する。【解決手段】ラック１００は、内部に摺動的に設けられる少なくとも１つの柱によって接続されるトップフレーム及びボトムフレームと、柱に取り付けられ、それぞれ少なくとも１つの柱に対して回転するための複数のブラケット３０１Ｎと、を含む。【選択図】図６
2019140367.tif 000002
【特許請求の範囲】
【請求項１】
ラック内に摺動的に設けられる少なくとも１つの柱によって接続されるトップフレーム及びボトムフレームと、
前記柱に取り付けられ、それぞれ前記少なくとも１つの柱に対して回転するための複数のブラケットと、
を含むラック。
【請求項２】
前記トップフレームは、第１組の複数の前から後ろへの横梁及び複数の頂上部における側から側への横梁を含む請求項１に記載のラック。
【請求項３】
前記ボトムフレームは、第２組の複数の前から後ろへの横梁及び複数の底部における側から側への横梁を含む請求項１又は２に記載のラック。
【請求項４】
前記トップフレーム及び前記ボトムフレームに接続される複数の垂直柱を更に含む請求項１から３のいずれか一項に記載のラック。
【請求項５】
前記垂直柱に接続される複数のスライドレール部材を更に含む請求項４に記載のラック。
【請求項６】
前記少なくとも１つの柱は、少なくとも１つの電子設備を取り付けるための複数の取付口を含む請求項１から５のいずれか一項に記載のラック。
【請求項７】
前記少なくとも１つの柱は、前記ブラケットを取り付けるための複数の取付口を含む請求項１から６のいずれか一項に記載のラック。
【請求項８】
前記ブラケットにおける各前記ブラケットは、Ｌ型の第１の部分及び平らな第２の部分を含む請求項１から７のいずれか一項に記載のラック。
【請求項９】
前記Ｌ型の第１の部分は、複数の取付口を含む請求項８に記載のラック。
【請求項１０】
前記平らな第２の部分は、ねじ部品及びアライメント穴を含む請求項８又は９に記載のラック。
【発明の詳細な説明】
【技術分野】
【０００１】
本開示内容は、ブラケット部材に関し、特に、サーバーラックに用いられる調節可能なブラケット部材に関する。
【背景技術】
【０００２】
コンピュータシャーシ及び他の種類の電子設備は、竪型シャーシ構造内に設けられる場合がある。このような技術は、「ラックマウンティング（ｒａｃｋ  ｍｏｕｎｔｉｎｇ）」と呼ばれ、例えばサーバ型のようなコンピュータによく使用される。ほとんどのシャーシ構造には４つの垂直角柱がある。ペアになるスライドレール部材は、コンピュータシャーシを受け又は挿入する箇所にスロット又は引き出しを形成するように、角柱に取り付けられる。よく知られるように、これらの水平のスライドレールは、ブラケット（ｂｒａｃｋｅｔ）である。
【０００３】
長方形の金属製シャーシ（ｃｈａｓｓｉｓ）は、ディスク駆動型記憶媒体の記憶や迅速なアクセスのためによく使用される。一般的な場合では、シャーシの本体は、スリットによって貯蔵ラック内に位置するブラケットに取り付けられる。取り付けた後で、シャーシの前後からシャーシの内部を随時に見たり、交換したり、修理したり、監視したりすることができる。このような貯蔵ラック及びシャーシの深さを規範するための様々な基準があり、シャーシの深さは様々である。
【発明の概要】
【発明が解決しようとする課題】
【０００４】
シャーシに貯蔵される設備サイズによると、小さいシャーシ（その深さから言えば）は好ましい。同じように、小さいシャーシは、深い大きなシャーシよりも優れた移植性を有するため、好ましい。しかしながら、小さいサイズのシャーシは、深さが不十分であり、大きいサイズの貯蔵ラックに取り付けられることができないので、小さいサイズの貯蔵ラックにしか取り付けられないように制限される。異なるサイズのラックを買う要求は、余分のコスト及びそれに伴う余分の貯蔵スペースのための異なる貯蔵ラックとシャーシの要求をもたらす。そして、当業者であれば、異なるサイズのシャーシを同じ貯蔵ラックに取り付けることを避けるようにする。
【課題を解決するための手段】
【０００５】
各類の実施形態は、異なるサイズのシャーシを貯蔵するラックに関する。ラックは、少なくとも１つの柱によって接続されるトップフレーム及びボトムフレームを含む。この柱は、前記ラック内に摺動的に設けられる。ラックは、柱に取り付けられる複数のブラケットを含む。これらのブラケットにおける各ブラケットは、この少なくとも１つの柱に対して回転することに用いられる。
【０００６】
ある実施形態において、トップフレームは、第１組の複数の前から後ろへの（ｆｒｏｎｔ−ｔｏ−ｂａｃｋ）横梁及び複数の頂上部における側から側への（ｓｉｄｅ−ｔｏ−ｓｉｄｅ）横梁を含む。なお、ボトムフレームは、第２組の複数の前から後ろへの横梁及び複数の底部における側から側への横梁を含む。ラックは、トップフレーム及びボトムフレームに接続される複数の垂直柱を含んでもよい。ラックは、これらの垂直柱に接続される複数のスライドレール部材を含んでもよい。例示的な実施形態において、この柱は、少なくとも１つの電子設備を取り付けるための複数の取付口を含む。ある実施形態において、この柱は、これらのブラケットを取り付けるための複数の取付口を含む。ある実施形態において、これらのブラケットにおける各ブラケットは、Ｌ型の第１の部分及び平らな第２の部分を含む。Ｌ型の第１の部分は、複数の取付口を含む。ある実施形態において、平面の第２の部分は、ねじ部品及びアライメント穴を含む。
【０００７】
様々な実施形態の追加の特徴及び利点は、以下の説明に記載され、これらの説明から、部分的な特徴及び利点が明らかであり、又は本明細書に開示された原則の実施によって習得される。様々な実施形態の特徴及び利点は、添付の特許請求の範囲に記載された手段によって理解され、達成される。
【図面の簡単な説明】
【０００８】
上記の開示内容及びその利点及び特徴を説明するために、これらの原則の簡単な説明に対して、添付の図面に示された特定の範例を参照して詳細な説明を提供する。これらの図面は、例示的な実施形態のみを示しているので、様々な実施形態又は請求項の範囲を限定するものとして解釈すべきではない。これらの原則は、以下の図面及びさらなる具体的な説明及び細部により説明及び図示される。
【図１Ａ】一つ又は複数の実施形態によるラックを示す斜視図であり、第１の位置に取り付けられる柱を示す。
【図１Ｂ】一つ又は複数の実施形態によるラックを示す斜視図であり、第２の位置に取り付けられる柱を示す。
【図２】一つ又は複数の実施形態による図１Ａ及び図１Ｂのラックに取り付けられる柱を示す斜視図である。
【図３】一つ又は複数の実施形態による図２の柱に取り付けられるブラケットを示す斜視図である。
【図４】一つ又は複数の実施形態による図３のブラケット部材に取り付けられる複数の単独したブラケットを示す斜視図である。
【図５】一つ又は複数の実施形態による図４の単独したブラケットを示す斜視図である。
【図６】一つ又は複数の実施形態による図５のブラケットを示す斜視図であり、それはラックで回転することに用いられる。
【発明を実施するための形態】
【０００９】
添付の図面を参照して、様々な実施形態を本明細書で説明し、これらの図面において、同様の参照番号は類似又は同一の素子を指すために使用される。これらの図面は、単に様々な実施形態を例示するために使用されるので、比例で描かれたものではない。以下、いくつかの実施形態を説明するが、説明のためにこれらの適用例を参照されたい。これらの多くの具体的な細部、関係、及び方法は、様々な実施形態のより完全に理解させるために記載されることを理解されたい。しかしながら、当業者は、様々な実施形態が1つ以上の特定の細部なしで、又は他の方法で実施され得ることを容易に認識する。他の例では、様々な実施形態の態様を不明瞭にすることを避けるために、周知の構造又は動作を詳細に示していない。様々な実施形態は、動作又はイベントの順序によって制限されず、例えば、いくつかの動作又はイベントが、異なる順序で、及び/又は他の動作又はイベントと同時に発生してもよい。さらに、様々な実施形態によれば、１つの方法を実行する場合、言及された動作又はイベントのすべてが必要であるわけではない。
【００１０】
一般的に、様々な実施形態は、異なるサイズのシャーシ用のキャビネット内の調節可能な柱ブラケットを対象とする。１つ又は複数の実施形態では、可動柱は、操作者がキャビネット内の空間を効果的に利用することを可能にする。そして調節可能な支柱はその方向を変えることができる。調節可能な柱ブラケットにより、異なる深さのシャーシを調節可能な柱の特定の位置に取り付けることができる。また、調節可能な柱ブラケットを使用することで、操作者がシャーシをキャビネットの前部又は後部に取り付けることができる。ラック式設備のサイズは、代表的に、「Ｕ」に相当するラックユニット（ｒａｃｋ  ｕｎｉｔ）として記述される。ラックユニットは、４４．５０ｍｍ（１．７５２インチ）の測定単位として定義されている。これは、全高１９インチ及び２３インチのラックフレーム測定、及びこれらのフレームに取り付けられた設備の高さに一般的に使用される。フレーム又は設備の高さがラックユニットの倍数で表される。例としては、代表的なフルサイズのラックフレームの高さは４２Ｕであるが、設備の高さは代表的に、１Ｕ、２Ｕ、３Ｕ、又は４Ｕである。例としては、１つのラックユニットの高さに相当する設備は「１Ｕ」と呼ばれ、２つのラックユニットの高さに相当する設備は２Ｕと呼ばれるようなものである。開示されたカラムホルダーは、また、変更可能なＵ数を提供してもよい。これにより、余分のスペースを取るように、シャーシや他の電子素子をキャビネットに直接取り付けることができる。
【００１１】
図１Ａは、例示的な実施形態に係るラック１００を示す斜視図である。ラック１００は、データセンターに取り付けられる複数のラックの１つであってもよい。ラック１００は、複数の前から後ろへの横梁１１０、複数の頂上部における側から側への横梁１２０Ａ、複数の底部における側から側への横梁１２０Ｂ、複数の垂直柱１３０、複数のスライドレール部材２００Ａ、柱２００Ｂ、及び複数のパネル１４０を含む。ある前から後ろへの横梁１１０とこれらの頂上部における側から側への横梁１２０Ａが接続してトップフレーム１５０Ａを形成する。類似的に、ある前から後ろへの横梁１１０とこれらの底部における側から側への横梁１２０Ｂが接続してボトムフレーム１５０Ｂを形成する。ある実施形態において、前から後ろへの横梁１１０は、側から側への横梁１２０Ａ、１２０Ｂに永久に接続される。例として、前から後ろへの横梁１１０は、永久的なコネクタ（例えば、リベット及び溶接材料）によって側から側への横梁１２０Ａ、１２０Ｂに接続される。代替の実施形態において、前から後ろへの横梁１１０は、側から側への横梁１２０Ａ、１２０Ｂに可動に接続される。例として、前から後ろへの横梁１１０は、可動なコネクタ又は留め具（例えば、ナット及びボルト、ネジ又は類似物）によって側から側への横梁１２０Ａ、１２０Ｂに接続される。
【００１２】
垂直柱１３０は、トップフレーム１５０Ａ及びボトムフレーム１５０Ｂに接続されてラック１００を形成する。特に、垂直柱１３０は、側から側への横梁１２０Ａ、１２０Ｂに接続される。ある実施形態において、垂直柱１３０は、側から側への横梁１２０Ａ、１２０Ｂに可動に接続される。例として、垂直柱１３０は、可動なコネクタ（例えば、ナット及びボルト、及びネジ）によって側から側への横梁１２０Ａ、１２０Ｂに接続される。代替の実施形態において、垂直柱１３０は、側から側への横梁１２０Ａ、１２０Ｂに永久に接続される。例として、垂直柱１３０は、永久的なコネクタによって側から側への横梁１２０Ａ、１２０Ｂに接続され、永久的なコネクタ（例えば、リベット及び溶接材料）である。
【００１３】
ある実施形態において、パネル１４０は、側から側への横梁１２０Ａ、１２０Ｂ、及び垂直柱１３０に可動に接続される。例として、パネル１４０は、可動なコネクタ（例えば、ナット及びボルト、及びネジ）によって側から側への横梁１２０Ａ、１２０Ｂ、及び垂直柱１３０に接続される。代替の実施形態において、パネル１４０は、側から側への横梁１２０Ａ、１２０Ｂに永久に接続される。例として、パネル１４０は、永久的なコネクタによって（例えば、リベット及び溶接材料）側から側への横梁１２０Ａ、１２０Ｂに接続される。パネル１４０は、ラック１００に追加の剛性を提供し、且つ特に側から側への横梁１２０Ａ、１２０Ｂ、及び垂直柱１３０に追加の剛性を提供する。
【００１４】
スライドレール部材２００Ａは、ラック１００の垂直柱１３０に接続される。ある実施形態において、スライドレール部材２００Ａは、垂直柱１３０に可動に接続される。例として、スライドレール部材２００Ａは、可動なコネクタ（例えば、ナット及びボルト、及びネジ）によって垂直柱１３０に接続される。代替の実施形態において、スライドレール部材２００Ａは、垂直柱１３０に永久に接続される。例として、スライドレール部材２００Ａは、永久的なコネクタによって（例えば、リベット及び溶接材料）垂直柱１３０に接続される。
【００１５】
図１Ａ及び図１Ｂに示すように、柱２００Ｂは、ラック１００に接続され、特にスライドレール部材２００Ａに接続される。好ましくは、柱２００Ｂは、ラック１００におけるトップフレーム１５０Ａ及びボトムフレーム１５０Ｂに近いスライドレール部材２００Ａに接続される。代替の実施形態において、柱２００Ｂは、ラック１００に接続され、特にトップフレーム１５０Ａ及びボトムフレーム１５０Ｂにおける前から後ろへの横梁１１０に接続される。簡素化のために、図面において柱２００Ｂのみを例とするが、各実施形態において数が１より多い柱を実施してよい。例として、別のシャーシを支持するために、ラックにおいて柱２００Ｂに対する箇所で別の柱を実施してもよい。柱２００Ｂは、調整可能なものであり、即ち、可動なコネクタ（例えば、ナット及びボルト、及びネジ）によって可動な接続を行う。
【００１６】
例として、図２に示すように、柱２００Ｂは、ボルト２２０を収容するためのねじ穴２１０を含んでもよい。ねじ穴２１０は、取付ボルトがスライドレール部材２００Ａの側開口１１４とアラインメントするように実施されてもよい。柱２００Ｂをスライドレール部材２００Ａに結ぶ場合、取付ボルト２２０は、柱２００Ｂをラック１００に効果的に結ぶ。ある実施形態において、ねじ穴２１０及び取付ボルト２２０は、噛み合い且つ密接である。従って、柱２００Ｂは、スライドレール部材２００Ａに強固に結ばれる。他の実施形態において、ねじ穴２１０及び取付ボルト２２０は、噛み合うが密接ではない。従って、柱２００Ｂは、スライドレール部材２００Ａの狭い開口１１４に沿って摺動してもよい。これにより、柱２００Ｂは、スライドレール部材２００Ａの狭い開口１１４に沿っていかなる位置に置かれてもよい。
【００１７】
上記の図１Ｂを参照されたい。柱２００Ｂは、軸に沿う第２の位置に示される。柱２００Ｂの位置によると、例としてはラック１００の前部又はラック１００の後部で追加のケーブル配線領域を提供してもよい。
【００１８】
図３は、ラック１００の柱２００Ｂに取り付けられるブラケット部材３００を示す斜視図である。柱２００Ｂは、複数の取付口３４０及びブラケット部材３００を含んでもよい。ブラケット部材３００は、電子設備（例えば、サーバー、配線パネル（ｐａｔｃｈ  ｐａｎｅｌ）、及び交換機）をラック１００に取り付けることに用いられてもよい。なお、ブラケット部材３００は、付属品（例えば、配線パネルカセット（ｐａｔｃｈ  ｐａｎｅｌ  ｃａｓｓｅｔｔｅ）及びケーブルマネジメントフィンガー部（ｃａｂｌｅ  ｍａｎａｇｅｍｅｎｔ  ｆｉｎｇｅｒ））をラック１００のケーブル配線領域（未図示）に取り付けることに用いられてもよい。シャーシがラック１００内に挿入される場合、ブラケット部材３００は、板金又はシャーシ（未図示）の重量に耐えるいかなる他の材料で製造されてもよい。以下の図４において、ブラケット部材３００をより詳しく検討する。
【００１９】
図４は、柱２００Ｂのブラケット部材３００に取り付けられる複数の単独したブラケット３０１Ｎを示す斜視図である。ブラケット部材３００は、複数の単独したブラケット３０１Ｎを含んでもよい。図面に示すように、ブラケット３０１Ｎを水平して持つ場合、頂上部から見れば、ブラケット３０１ＮはＬ型であってもよい。ブラケット３０１Ｎは、電子設備（例えば、サーバー、配線パネル、及び交換機）をラック１００に取り付けるための複数の取付口３０２Ｎを含んでもよい。各ブラケット３０１Ｎは、例えばナット及びボルト、及びネジのような可動なコネクタによって柱２００Ｂに接続されてもよい。よく見られないある実施形態において、各ブラケット３０１Ｎは、永久的なコネクタ（例えば、リベット及び溶接材料）によって柱２００Ｂに永久に接続されてもよい。代わりに、各ブラケット３０１Ｎ及び柱２００Ｂは、一体成形するものであってもよい。例として、ブラケット３０１Ｎが柱２００Ｂに係合されるように配置されるため、各ブラケット３０１Ｎは、ブラケット３０１Ｎに優れた使用性を提供するために、快速に、簡易に柱２００Ｂから外されるように配置されてもよい。
【００２０】
図５は、単独したブラケット３０１Ｎを示す斜視図である。ブラケット３０１Ｎは、１Ｕであってもよい。従って、ブラケット３０１Ｎは、１つのラックユニットに相当する高さであってもよい。ある実施形態において、ラックユニットの数倍の高さを有する電子設備と一致するように、ブラケット３０１Ｎの高さは変えられてもよい。各ブラケット３０１Ｎは、普通のＬ型の第１の部分３０５Ｎ、及び常に平らな第２の部分３０６Ｎを有する。ブラケット３０１Ｎの第１の部分３０５Ｎは、電子設備（例えば、サーバー、配線パネル、及び交換機）をラック１００に取り付けるための複数の取付口３０２Ｎを含んでもよい。取付口３０２Ｎは、例えば水平の空白パネル及び垂直の空白パネルを収容してラック１００（図４）の開放領域を密封して、冷却の流入空気と熱い排気を分離させることに用いられてよい。常に平らな第２の部分３０６Ｎは、複数の螺旋部材３０８及びアライメント穴３０７を含んでもよい。ブラケット３０１Ｎは、ネジ、ナット及びボルト付きの螺旋部材３０８によって柱２００Ｂ（図４）に結ばれてもよい。例として、第２の部分３０６Ｎにおけるアライメント穴３０７を介してボルト（未図示）を挿入して、ナット（未図示）によってボルトをしっかり結んでよい。従って、ブラケット３０１Ｎは、柱２００Ｂにしっかり結ばれることができる。ある実施形態において、ブラケット３０１Ｎは、単独したアライメント穴３０７を含み、ここでは回転のために配置される。以下の図６において、回転ブラケット３０１Ｎをより詳しく検討する。
【００２１】
図６は、ラック１００内で回転する単独したブラケット３０１Ｎを示す斜視図である。操作者の好みと要求に応じて、各単独したブラケット３０１Ｎは、異なる方向に向かうように回転されてもよい。例として、シャーシは、異なるサイズを有してもよい。ここで開示されたブラケット３０１Ｎは、異なるサイズの複数のシャーシ（未図示）の構造を単独したラック１００に取り付けるようにする。シャーシ（未図示）のサイズが異なるが、操作者が同じ箇所でラックに取り付けられるシャーシを使用しようとすることがある。例として、ラックは、フラッシュマウント構造（ｆｌｕｓｈ  ｍｏｕｎｔ  ｃｏｎｆｉｇｕｒａｔｉｏｎ）に設計されてもよく、ラック１００に取り付けられるシャーシのサイズが異なるが、これらのシャーシはラック１００の開口で互いに面一となる。なお、ラック１００は、センターマウント構造（ｃｅｎｔｅｒ  ｍｏｕｎｔ  ｃｏｎｆｉｇｕｒａｔｉｏｎ）に設計されてもよく、シャーシのサイズが異なるが、ラック１００に取り付けられるこれらのシャーシは中心に位置する。ラック１００がフラッシュマウント構造又はセンターマウント構造となるように置かれる場合、要求に応じて、各ブラケット３０１Ｎは、１８０度回転してもよい。なお、要求に応じて、柱２００Ｂは、前から後ろへの横梁１１０に沿って置かれてもよい。フラッシュマウント構造に取り付けられるシャーシ（未図示）に対応するブラケット３０１Ｎは、転向されて第１の部分３０５Ｎ（図５に示すように）をラック１００の中心に向かうようにしてもよい。そして、センターマウント構造に取り付けられるシャーシ（未図示）に対応するブラケット３０１Ｎは、転向されて第１の部分３０５Ｎ（図５に示すように）をラック１００の前部に向かうようにしてもよい。
【００２２】
複数の回転可能なブラケット３０１Ｎは、ラック柱間の他の設備のコンピュータシステムを支持するように、構造安定性を提供することができる。ある実施形態において、ブラケット３０１Ｎは、２つのラック柱における他方のブラケットとミラーリングされるように転向されてもよい。従って、ラックの２つの柱の対向面に取り付けられるブラケット３０１Ｎがシャーシ（未図示）及び設備ラックの２つの柱に必要な構造安定性を提供できるように、シャーシはラック１００の２つの柱に取り付けられてもよい。なお、各実施形態は、柱３００Ａに用いられる摺動機械装置を収納することができるため、ここで開示されるラック１００は、ラック１００に取り付けられるコンピュータシステムに可用性を提供することができる。
【００２３】
ここで開示されるラック１００は、コンピュータシステム、及び異なる高さの他の電子素子のケースを収納することもできる。従来のコンピュータシステム、特にサーバーシステムは、電気通信及びインターネットサービスプロバイダ環境において、より多くの適用が求められている。
【００２４】
本発明の特定の実施形態を説明したが、当業者であれば、本発明から逸脱せずに、本発明のより広い態様において変更及び修正を行うことができる。従って、添付の請求項は、本発明の範囲及び精神に含まれる全てのそのような変更及び修正を含むことが意図されている。前述の説明及び添付の図面に記載されていることは、例示のみを目的としており、限定することを意図するものではない。本発明の実際の範囲は、従来技術に基づく適切な観点から、添付の特許請求の範囲によって規定される。
【００２５】
本明細書で使用する用語は、特定の実施形態のみを説明するためのものであり、本開示を限定するものではない。本明細書で使用されるように、単数形の「一つ」及び「前記」は、文脈上他に明確に指示されない限り、複数形も含むことが意図される。さらに、詳細な説明及び/又は請求項において使用される「含む」、「備える」、「有する」及びそれらの類似的な用語は、記載される特徴を指すが、その記述内容又は余分の１つ又は複数の他の特徴を排除しない。
【００２６】
他に定義されない限り、本明細書で使用される全ての用語（技術用語及び科学用語を含む）は、当業者によって理解される一般的な意味を有する。さらに、上記の用語の一般的に使用される辞書に定義された意味は、関連技術の文脈における意味と一致する意味を有すると解釈されるべきである。本明細書で明示的に定義されない限り、これらの用語は、理想化された又は過度に形式的な意味で解釈されるべきでない。
【符号の説明】
【００２７】
１００  ラック
１１０  前から後ろへの横梁
１１４  開口
１２０Ａ  側から側への横梁
１２０Ｂ  側から側への横梁
１３０  垂直柱
１４０  パネル
１５０Ａ  トップフレーム
１５０Ｂ  ボトムフレーム
２００Ａ  スライドレール部材
２００Ｂ  柱
２１０  ねじ穴
２２０  ボルト
３００  ブラケット部材
３００Ａ  柱
３０１Ｎ  ブラケット
３０２Ｎ  取付口
３０５Ｎ  第１の部分
３０６Ｎ  第２の部分
３０７  アライメント穴
３０８  螺旋部材
３４０  取付口
【図１Ａ】
2019140367.tif 000003
【図１Ｂ】
2019140367.tif 000004
【図２】
2019140367.tif 000005
【図３】
2019140367.tif 000006
【図４】
2019140367.tif 000007
【図５】
2019140367.tif 000008
【図６】
2019140367.tif 000009